(57)【特許請求の範囲】
【請求項１】
物体像を光電変換する撮像手段からの信号に基づいて生成された画像を表示する表示手段と、
第１のオートフォーカス動作を行う第１のオートフォーカス手段と、
撮像光学系を通った光を前記第１のオートフォーカス手段に導く光路分割手段と、
前記光路分割手段を前記撮像光学系から前記撮像手段への光路内から退避させ、前記撮像手段からの画像を前記表示手段に表示させるライブビュー制御手段と、
前記撮像手段からの信号に基づいてオートフォーカス動作を行う第２のオートフォーカス手段と、
前記第１または、第２のオートフォーカス動作を行わせる第１のスイッチと、
前記撮像手段からの画像を記録媒体に記録させるための第２のスイッチとを有するライブビュー可能な撮像装置であって、
前記第１のスイッチの操作により、前記ライブビュー制御手段による表示を停止させるとともに前記第１のオートフォーカス動作が行われている間は、前記第２のスイッチの操作による前記記録媒体への画像記録を禁止し、
前記第１のスイッチの操作により、前記ライブビュー制御手段による表示を停止せずに前記第２のオートフォーカス動作が行われている間は、前記第１のスイッチの操作が続いていても前記第２のスイッチの操作による前記記録媒体への画像記録を許可する画像記録制御手段を有することを特徴とする撮像装置。
【請求項２】
前記画像記録制御手段は、前記第１のスイッチが操作されている間、前記第１のオートフォーカス動作を繰り返している場合、前記第１のスイッチの操作が停止されることにより、前記第２のスイッチの操作による画像記録を許可することを特徴とする請求項１に記載の撮像装置。
【請求項３】
前記画像記録制御手段は、前記第２のオートフォーカス動作を行っている場合、合焦と判断するまで前記第２のスイッチの操作による画像記録を禁止し、合焦と判断された後に前記第２のスイッチの操作による画像記録を許可することを特徴とする請求項１または２に記載の撮像装置。
【請求項４】
物体像を光電変換する撮像手段からの信号に基づいて生成された画像を表示する表示手段と、
第１のオートフォーカス動作を行う第１のオートフォーカス手段と、
撮像光学系を通った光を前記第１のオートフォーカス手段に導く光路分割手段と、
前記光路分割手段を前記撮像光学系から前記撮像手段への光路内から退避させ、前記撮像手段からの画像を前記表示手段に表示させるライブビュー制御手段と、
前記撮像手段からの信号に基づいてオートフォーカス動作を行う第２のオートフォーカス手段と、
前記第１または、第２のオートフォーカス動作を行わせる第１のスイッチと、
前記撮像手段からの画像を記録媒体に記録させるための第２のスイッチとを有するライブビュー可能な撮像装置であって、
前記第１のスイッチの操作に応じて、前記ライブビュー制御手段による表示を停止させるとともに前記光路分割手段が光路内にある間は、前記第２のスイッチの操作による前記記録媒体への画像記録を禁止し、
前記第１のスイッチの操作により、前記ライブビュー制御手段による表示を停止せずに前記光路分割手段が光路内から退避している間は、前記第２のスイッチの操作による前記記録媒体への画像記録を許可する画像記録制御手段を有することを特徴とする撮像装置。
【発明の詳細な説明】
【技術分野】
【０００１】
本発明は、撮影前に画像確認を可能とするライブビュー機能を有するデジタル一眼レフカメラ等の撮像装置に関する。
【背景技術】
【０００２】
一眼レフデジタルカメラ等の撮像装置では、撮像レンズからの光束のうち、一部をハーフミラーにより構成されるメインミラー（光路分割系）によって反射してファインダ光学系に導くことにより、被写体（物体）の光学的な観察を可能とする。また、ハーフミラーを透過した光束は、ハーフミラーの背後に配置されたサブミラーによって反射され、焦点検出部に導かれる。焦点検出部は、位相差検出等の焦点検出方式を用いて撮像レンズの焦点状態を検出し、該検出結果に基づいて撮像レンズを合焦位置に駆動するオートフォーカス（ＡＦ）を行う。位相差方式のＡＦでは、デフォーカス量（合焦位置とのずれ量）と合焦位置の方向がわかるためレンズを最少の駆動回数で合焦位置まで移動させることができる。
【０００３】
ここで、一眼レフカメラにおいては、メインミラーによりファインダへ、サブミラーにより焦点検出部へ、撮像レンズからの光束を導く。そして、撮影時には、上記メインミラー及びサブミラーを撮像レンズの光路より退避させることで、撮像素子に撮像光束を導く構成となっている。
【０００４】
近年、一眼レフタイプのデジタルカメラにおいても、ミラーを撮影光路より退避させた状態で連続的に撮影を行い、外部モニターに動画的なライブビュー画像を表示する仕様が提案されている。このような構成において、特許文献１では、ライブビュー状態からＡＦ釦が押された場合、ミラーを反射位置（撮像レンズの光路内）に復帰させ、位相差方式のＡＦを行う、つまり焦点検出および撮像レンズ制御を行う。そして、その後ＡＦ釦が押し続けられていても、撮像レンズが合焦位置に制御された後は自動的にライブビュー状態に復帰し、レリーズが可能となる技術が開示されている。
【０００５】
また、デジタルカメラのＡＦ方式として、撮像素子で得られた画像信号のコントラストを基に焦点検出およびレンズ制御を行うコントラスト方式がある。コントラスト方式のＡＦは、撮影レンズのピント位置をそのままの位置、前ピント位置および後ピント位置にそれぞれ移動させ、それぞれにおける画像中のＡＦエリアのコントラストを比較し、コントラストが大きい位置にレンズを駆動する。これを繰り返し行って、コントラストが最大になる位置に撮影レンズを調節する。コントラスト方式のＡＦでは、ライブビュー状態のまま焦点検出が可能である。特許文献２では、状況に応じてコントラスト方式のＡＦが行えるデジタルカメラの技術が開示されている。
【特許文献１】特開２００５−２０３９７号公報
【特許文献２】特開２００１−２７２５９３号公報
【発明の開示】
【発明が解決しようとする課題】
【０００６】
しかしながら、ライブビュー状態から、複数種類のＡＦ方式による焦点調節が可能な一眼レフタイプのデジタルカメラにおいては、以下のような課題を有していた。
【０００７】
ライブビュー状態において行う２つのＡＦ方式には、それぞれに長所、短所が存在する。一方は、メインミラーを撮影光路に進入させる必要があり、他方はそうした必要がない。こうした違いを克服してそれぞれのオートフォーカス動作に適した制御を行うことが望ましい。
【０００８】
（発明の目的）
本発明の目的は、ライブビュー状態を一旦停止させるオートフォーカス方式とそうでないオートフォーカス方式がある場合、それぞれのオートフォーカス動作に適した制御を行って撮影を行わしめる技術を提供しようとするものである。
【課題を解決するための手段】
【０００９】
上記目的を達成するために、本願技術思想の一側面は、物体像を光電変換する撮像手段からの信号に基づいて生成された画像を表示する表示手段と、第１のオートフォーカス動作を行う第１のオートフォーカス手段と、撮像光学系を通った光を前記第１のオートフォーカス手段に導く光路分割手段と、前記光路分割手段を前記撮像光学系から前記撮像手段への光路内から退避させ、前記撮像手段からの画像を前記表示手段に表示させるライブビュー制御手段と、前記撮像手段からの信号に基づいてオートフォーカス動作を行う第２のオートフォーカス手段と、前記第１または、第２のオートフォーカス動作を行わせる第１のスイッチと、前記撮像手段からの画像を記録媒体に記録させるための第２のスイッチとを有するライブビュー可能な撮像装置であって、前記第１のスイッチの操作により、前記ライブビュー制御手段による表示を停止させるとともに前記第１のオートフォーカス動作が行われている間は、前記第２のスイッチの操作による前記記録媒体への画像記録を禁止し、
前記第１のスイッチの操作により、前記ライブビュー制御手段による表示を停止せずに前記第２のオートフォーカス動作が行われている間は、前記第１のスイッチの操作が続いていても前記第２のスイッチの操作による前記記録媒体への画像記録を許可する画像記録制御手段を有するものである。
【００１０】
また、別の側面の技術思想は、物体像を光電変換する撮像手段からの信号に基づいて生成された画像を表示する表示手段と、第１のオートフォーカス動作を行う第１のオートフォーカス手段と、撮像光学系を通った光を前記第１のオートフォーカス手段に導く光路分割手段と、前記光路分割手段を前記撮像光学系から前記撮像手段への光路内から退避させ、前記撮像手段からの画像を前記表示手段に表示させるライブビュー制御手段と、前記撮像手段からの信号に基づいてオートフォーカス動作を行う第２のオートフォーカス手段と、前記第１または、第２のオートフォーカス動作を行わせる第１のスイッチと、前記撮像手段からの画像を記録媒体に記録させるための第２のスイッチとを有するライブビュー可能な撮像装置であって、前記第１のスイッチの操作に応じて、前記ライブビュー制御手段による表示を停止させるとともに前記光路分割手段が光路内にある間は、前記第２のスイッチの操作による前記記録媒体への画像記録を禁止し、前記第１のスイッチの操作により、前記ライブビュー制御手段による表示を停止せずに前記第２のスイッチの操作による前記記録媒体への画像記録を許可する画像記録制御手段を有する。
【発明の効果】
【００１１】
本発明によれば、ライブビュー状態から行う複数のオートフォーカス方式がある場合、それぞれのオートフォーカス動作に適した制御を行って撮影を行うことができる。
【発明を実施するための最良の形態】
【００１２】
本発明を実施するための形態を、以下の実施例に示して説明する。
【実施例】
【００１３】
図１は本発明の一実施例に係る撮像装置であるデジタルカメラの外観を示す斜視図である。
【００１４】
図１において、カメラ本体１００の上部には、ファインダ観察用の接眼窓１１１、レリーズ釦１１４、電子ダイアル１１５および撮影モードダイアル１１７が設けられている。
【００１５】
後述のメインミラー２０がダウン位置（後述する撮像レンズの撮像光学系１９の光路内）にある場合、接眼窓１１１から被写体を観察できる。レリーズ釦１１４は、半押し状態でＯＮするスイッチＳＷ１と全押し状態でＯＮするスイッチＳＷ２に電気スイッチに連動している。レリーズ釦１１４を全押しすることにより、ユーザーは画像を記録（保存）することが出来る。電子ダイアル１１５は、他の操作釦と併用して、カメラに数値を入力したり、各種の動作モードを切り換えたりするための多機能信号入力部材である。
【００１６】
カメラ本体１００の背面には、撮影された画像や各種設定画面やライブビュー画像などを表示するＬＣＤなどによるモニター部４１７、それをＯＮ／ＯＦＦするためのモニター釦１２１が具備されている。さらには、サブ電子ダイアル１１９、ＳＥＴ（セット）釦１１６及びメニュー釦１２４、ＡＦ（オートフォーカス）釦１１３などが設けられている。
【００１７】
ＡＦ釦１１３はライブビュー状態からオートフォーカス動作を開始させるためのスイッチである。ＡＦ釦１１３は、ＬＶ（ライブビュー）中のＡＦ方式が位相差方式に設定された場合に、位相差方式による焦点検出部４１３を作動させ、焦点検出結果（合焦信号）に基づいて撮像レンズ１８の撮像光学系１９を駆動させる。また、コントラスト方式のＡＦが設定された場合、撮影レンズ１８を動かして、画像処理部４２５の出力するコントラスト値を比較する。そしてコントラストが高くなってコントラスト値が極大値となる位置を合焦と判断する。これにより焦点を合わせる。
【００１８】
ライブビュー状態から行う２つのＡＦ方式は排他とし、１種類の釦により予め設定されたＡＦ方式でオートフォーカスを行うようにしている。このため、スイッチの間違えや、不要の混乱がない。
【００１９】
また、光学ファインダを使った撮影においては、レリーズ釦の半押し状態で位相差方式のＡＦが作動する。この点、ライブビュー状態ではレリーズ操作とオートフォーカス操作を分けるためＡＦ釦１１３によりオートフォーカスを開始するようにしている。ＬＶ中のＡＦ方式が位相差方式の場合、レリーズを行う直前にライブビュー表示が自動的に終了するのは使い勝手が悪い。また、コントラスト方式の場合、合焦と判断するまでに時間がかかり、撮影者の意図するタイミングでの撮影が出来なくなる可能性がある。さらに、コントラスト方式のＡＦでは、レンズを動かしてコントラストを比較することで合焦位置を探すため、たとえレンズが予め合焦位置にあったとしてもレンズの駆動が生じてしまう。
【００２０】
メニュー釦１２４は、モニター部４１７にカメラの各種設定を行うためのメニュー画面を表示させるためのものである。メニュー画面では、設定項目のリストが表示される。サブ電子ダイアル１１９で設定項目の選択を行い、希望する設定項目でＳＥＴ釦１１６を押すと、その設定項目の設定画面になる。なお、メニュー画面からＬＶ中のＡＦ方式を設定する方法については後述する。
【００２１】
図２は、上記のデジタルカメラの光学配置図である。
【００２２】
図２において、１００はカメラ本体、１９は撮像光学系、１８は撮像光学系１９および絞りを含む撮像レンズである。４１３は焦点検出系（光学系および焦点検出センサ）からなる焦点検出部である。焦点検出部４１３では、撮像光学系１９によって形成された異なる射出瞳領域を通過した被写体からの光束を２次結像させ、得られた一対の像の相対位置変位量を求めることにより被写体のデフォーカス量を検出する（位相差方式ＡＦ）。
【００２３】
ハーフミラーからなるメインミラー２０は、被写体からの光束をサブミラー２４の方向と光学ファインダに分離する。メインミラー２０に保持されたサブミラー２４は被写体からの光束を焦点検出部４１３に導く。メインミラー２０、サブミラー２４がダウン位置にある場合、焦点検出部４１３による焦点検出が可能となる。ピント板２１、ペンタプリズム２２及び接眼レンズ２３により光学ファインダを構成する。
【００２４】
２０９，２１０はそれぞれシャッターを構成するシャッター後幕とシャッター先幕である。シャッター先幕２１０を走行させた（開放状態）後、所定時間経過後にシャッター後幕２０９を走行させる（遮光状態）ことにより、露光時間の制御が行われる。４１８は撮像素子であり、該撮像素子４１８によって画素毎の電気信号に変換された撮影画像は、図３にて後述するＡ／Ｄコンバータ４２３や画像処理回路４２５などによって処理され、画像データとして記録媒体に記録される。４１７は撮影された画像や各種設定画面などを表示するモニター部である。
【００２５】
２０ｕ，２４ｕは、それぞれメインミラー２０、サブミラー２４が撮像レンズ１８の撮像光学系１９等を通過する光路内から退避したアップ位置を表す。メインミラー２０、サブミラー２４が光路外に退避した状態で、シャッター後幕２０９を保持、シャッター先幕２１０を開放させると、撮影光学系１９等を通った光は撮像素子４１８に導かれる。この状態で連続的に撮影を行い、モニター部４１７に画像を表示することによってライブビュー画像の表示を行うことが出来る。本実施例では、メインミラー２０およびサブミラー２４が上方に退避する構成であるが、横方向など別な方向に退避する構成としても良い。
【００２６】
ライブビュー状態で、撮像素子４１８の一部（所定のＡＦエリア）のコントラストを検出することにより撮像レンズ１８の焦点状態を求めることが出来る。撮像レンズを駆動し複数の撮像レンズ位置で得られるコントラストを比較することを繰り返し行い、コントラストが最大の位置に撮影レンズを駆動することにより焦点調節することができる（コントラスト方式ＡＦ）。
【００２７】
コントラスト方式ＡＦを行うためには、メインミラー２０、サブミラー２４を撮像レンズ１８の撮像光学系１９等を通過する光路内からアップ位置２０ｕ、２４ｕに退避させる必要がある。この場合ライブビュー状態とすることができる。逆に、位相差方式ＡＦを行うためには、メインミラー２０、サブミラー２４を上記光路内に位置させ、被写体からの光束を焦点検出部４１３に導く必要がある。この場合ライブビュー状態を一旦停止することになる。この構成のため、２つのＡＦ方式を同時に行わない。
【００２８】
図３は、上記構成のデジタルカメラの回路構成例を示すブロック図である。
【００２９】
図３において、４０２はマイクロコンピュータ（ＣＰＵ）であり、撮像素子４１８が出力する画像データの処理や、モニター部４１７での表示制御をはじめ、カメラ全体の動作を制御する。ＳＷ１（４０５）はレリーズ釦１１４の半押し状態でＯＮするスイッチであり、ＳＷ２（４０６）はレリーズ釦１１４が最後まで押された状態（全押し状態）でＯＮするスイッチである。スイッチＳＷ１がＯＮすると、デジタルカメラは撮影準備状態になる。つまり、測光開始、光学ファインダでの撮影時はＡＦ動作の開始となる。なお、測光動作は、不図示の測光手段により行われる。また、スイッチＳＷ２がＯＮすると、デジタルカメラは撮影動作（画像の取り込み及び記録）を開始する。スイッチＳＷ１，ＳＷ２は割り込みポートに接続されている。割り込みが禁止されていない場合、カメラの状態にかかわらず、決められた動作（測光やレリーズ動作）を行う。
【００３０】
４１０はスイッチセンス部であり、図１にも示した電子ダイアル１１５やＡＦ釦１１３を含む多数のスイッチ類の信号をマイクロコンピュータ４０２に伝える。４１３は焦点検出部であり、上記したようにＡＦ動作において、被写体に対する撮像光学系１９のデフォーカス量を検出する。４０７はレンズ制御部であり、撮像レンズ１８との通信及びＡＦ動作時の撮像光学系１９の駆動や絞り羽根の駆動の制御を行う。
【００３１】
マイクロコンピュータ４０２は焦点検出部４１３で検出されたデフォーカス量からレンズ駆動量を計算し（焦点検出を行い）、レンズ制御部４０７は計算されたレンズ駆動量にしたがって撮像光学系１９を駆動（焦点調節）を行う。つまり、ＡＦ動作が行われる。
【００３２】
４１５はメカ制御部であり、シャッター後幕２０９、シャッター先幕２１０、メインミラー２０、サブミラー２４の駆動制御をする。ライブビュー状態の時は、メインミラー２０、サブミラー２４をアップ位置に制御し、シャッター後幕２０９を保持、シャッター先幕２１０を開放させた状態を維持することにより、撮像素子４１８に被写体からの光を導く。
【００３３】
４１７はモニター部であり、該モニター部４１７とバックライト照明装置（不図示）で画像表示装置を構成している。４１８は撮像素子であり、該撮像素子４１８から出力された信号のアナログ出力はＡ／Ｄコンバータ４２３によりデジタル信号化され、バッファメモリ４２４に一時的に記憶される。４２５は画像処理部であり、バッファメモリ４２４から読み出された画素信号に対して、コントラスト検出、オートホワイトバランス、輝度、色信号生成その他の色処理を施す。この画像処理部４２５により生成されたカラー画像信号は、再度バッファメモリ４２４に蓄えられる。再度バッファメモリ４２４に蓄えられたカラー画像信号はモニター部４１７にカラー画像として表示される。
【００３４】
マイクロコンピュータ４０２が、メインミラー２０、サブミラー２４を撮像光学系１９の光路外に退避させた後、撮像素子４１８から出力された信号を処理し、モニター部４１７に表示することを繰り返し行う。このことにより、ライブビュー画像の表示（電子ビューファインダ）が実現できる。
【００３５】
ライブビュー状態において、マイクロコンピュータ４０２は、画像処理部４２５から出力された画像中の所定部分領域（ＡＦエリア）のコントラスト値を使って焦点調節を行うことが出来る。撮像光学系を駆動する前にコントラスト値を求め、次にレンズ駆動部４０７は、撮像光学系１９を所定量駆動する。駆動後の位置で画像処理部４２５から出力されたコントラスト量を求める。マイクロコンピュータ４０２は、撮影光学系１９駆動前後のコントラスト値を比較してコントラスト値が大きくなるように撮影光学系１９を駆動する。マイクロコンピュータ４０２は、レンズ制御部４０７により撮影光学系１９の駆動と画像処理部４２５によるコントラスト検出を繰り返し行い、焦点調節を行う。
【００３６】
４０３は記録再生処理部であり、バッファメモリ４２４に蓄えられたカラー画像信号を記録媒体４０４に記録する。レリーズ動作では、得られた画像を記録媒体４０４に記録するが、ライブビュー表示では記録しない。記録媒体４０４は、例えばカード型フラッシュメモリのような半導体メモリにより構成されたメモリカードなどが一般的である。記録媒体４０４に記録された画像を再生するときは、記録再生処理部４０３により画像データの再生処理を行い、一時的にカラー画像信号としてバッファメモリ４２４に記憶し、それをモニター部４１７で画像を表示（再生）する。
【００３７】
次に、図４を用いて、本実施例に係わるデジタルカメラの状態遷移を説明する。デジタルカメラには、カメラ状態（Ｃ）、ライブビュー状態（Ｌ）、再生状態（Ｐ）、メニュー状態（Ｍ）の４つの状態がある。
【００３８】
カメラ状態（Ｃ）は，光学ファインダを使って撮影が可能な状態である。モニター部４１７には、ＴＶ値（シャッタ−秒時）、ＡＶ値（絞り値）、ＩＳＯ感度、撮影モード、画像サイズ、撮影可能枚数など撮影に必要な情報が表示されている。カメラの電源がＯＮされ、起動すると，この状態になる。また、カメラが起動したら，レリーズ釦１１４の全押しに連動したスイッチＳＷ２の割り込みが許可され、特に割り込みが禁止されない限り、いつでも撮影動作（画像の取り込み及び記録）が可能になる。
【００３９】
カメラ状態（Ｃ）から、レリーズ釦１１４の半押しによりスイッチＳＷ１がＯＮされると、測光動作およびＡＦ動作を開始する。続いて、スイッチＳＷ２がＯＮされることにより、レリーズ動作を行う。カメラ状態（Ｃ）からＡＦ釦１１３を押下してもＡＦ動作を行う。
【００４０】
再生状態（Ｐ）もしくはメニュー状態（Ｍ）で、スイッチＳＷ１がＯＮされると、それぞれの状態を抜けて、カメラ状態（Ｃ）になる。
【００４１】
撮影モードダイアル１１７を変更すると、カメラ状態（Ｃ）のまま撮影モードが変更され、撮影モード表示が更新される。さらに、ＴＶ優先撮影モード及びマニュアル撮影モードでは、電子ダイアル１１５を操作することにより、直接ＴＶ値を変更することができる（ＡＶ優先撮影モードではＡＶ値変更ができる）。
【００４２】
カメラ状態（Ｃ）から、ＳＥＴ釦１１６を押下することによって、ライブビュー状態（Ｌ）になる。また、カメラ状態（Ｃ）から、メニュー釦１２４もしくはモニター釦１２１を押下すると、それぞれメニュー状態（Ｍ）、再生状態（Ｐ）になる。
【００４３】
ライブビュー状態（Ｌ）は、メインミラー２０、サブミラー２４を撮像光学系１９の光路外に退避させ、シャッターを開放した状態で連続的に撮影を行い、モニター部４１７に画像（ライブビュー画像）を表示する状態である。ライブビュー画像にオーバーラップして撮影情報（ＴＶ値、ＡＶ値、ＩＳＯ感度など）が表示される。カメラ状態（Ｃ）から、ＳＥＴ釦１１６押下でライブビュー状態（Ｌ）になる。
【００４４】
ＴＶ優先撮影モードおよびマニュアル撮影モードでは、電子ダイアル１１５を操作することによってライブビュー状態（Ｌ）のまま、ＴＶ値を変更することができる（ＡＶ優先撮影モードではＡＶ値を変更できる）。
【００４５】
ライブビュー状態（Ｌ）で、ＡＦ釦１１３を押下すると、メインミラー２０、サブミラー２４が撮像光学系１９の光路内に位置し、ＡＦ動作が行われる。撮像素子４１８は遮光されるため、モニター部４１７にはライブビュー表示を行うことはできない。
【００４６】
ライブビュー状態（Ｌ）で、スイッチＳＷ１がＯＮされると、測光動作を開始する。ライブビュー状態での測光動作は、撮像素子４１８の出力信号を用いて行われる。なお、（Ｌ）ライブビューの状態はスイッチＳＷ１がＯＮされても維持され、カメラ状態（Ｃ）にはならない。続いて、スイッチＳＷ２がＯＮされることにより、レリーズ動作が行われる（レリーズ動作が禁止されている場合は除く）。なお、ライブビュー状態からのＡＦに付随する動作に関しては、図６を用いて詳しく説明する。
【００４７】
ライブビュー状態（Ｌ）から、メニュー釦１２４を押下すると、ライブビュー状態を終了し、メニュー状態（Ｍ）になる。メニュー状態（Ｍ）を終了してもライブビュー状態（Ｌ）には戻らない。また、ライブビュー状態（Ｌ）から、モニター釦１２１を押下すると、ライブビュー状態を終了し、再生状態（Ｐ）になる。再生状態（Ｐ）を終了してもライブビュー状態（Ｌ）には戻らない。
【００４８】
撮影モードダイアル１１７を回し、撮影モードを変更すると、ライブビュー状態（Ｌ）を終了し、カメラ状態（Ｃ）になる。ＳＥＴ釦１１６を押下するとライブビュー状態を終了し、カメラ状態（Ｃ）になる。カメラ状態（Ｃ）とライブビュー状態（Ｌ）は、ＳＥＴ釦１１６を押すごとに状態が入れ替わる。
【００４９】
再生状態（Ｐ）では、撮影済みの画像を再生表示する。カメラ状態（Ｃ）、ライブビュー状態（Ｌ）、メニュー状態（Ｍ）で、モニター釦１２１を押下することにより、再生状態（Ｐ）になる。再生状態（Ｐ）で、メニュー釦１２４の押下でメニュー状態（Ｍ）になる。再生状態（Ｐ）で、モニター釦１２１の押下、スイッチＳＷ１のＯＮでカメラ状態（Ｃ）になる。再生状態（Ｐ）で、撮影モードダイアル１１７を変更すると、カメラ状態（Ｃ）になり撮影モードが変更される。再生状態（Ｐ）から、ＳＥＴ釦１１６を押下しても、直接ライブビュー状態（Ｌ）にはならない。
【００５０】
メニュー状態（Ｍ）では、設定項目のリストを表示し、カメラの様々な設定を行う（設定項目ごとにサブ画面（下位階層画面）を表示し設定を行う）ことが可能である。カメラ状態（Ｃ）、ライブビュー状態（Ｌ）、再生状態（Ｐ）で、メニュー釦１２４を押下することにより、メニュー状態（Ｍ）のＴＯＰ画面になる。
【００５１】
メニュー状態（Ｍ）で、スイッチＳＷ１がＯＮされると、カメラ状態（Ｃ）になる。メニュー状態（Ｍ）で、モニター釦１２１を押下すると、再生状態（Ｐ）になる。メニュー状態（Ｍ）ＴＯＰ画面で、メニュー釦１２４を押下すると、カメラ状態（Ｃ）になる。メニュー状態（Ｍ）サブＰ画面で、メニュー釦１２４を押下すると、一つ上の階層の画面に戻る。メニュー状態（Ｍ）で、撮影モードダイアル１１７を変更すると、カメラ状態（Ｃ）になり、撮影モードが変更される。メニュー状態（Ｍ）で、ＳＥＴ釦１１６を押下すると、選択されている項目の設定（又は設定画面表示）となり、ライブビュー状態（Ｌ）にはならない。
【００５２】
メニュー画面からＬＶ中のＡＦ方式を設定する例を、図５を使って説明する。
【００５３】
図４のカメラ状態（Ｃ）で、メニュー釦１２４を押す（図５（１）参照）と、図４のメニュー状態（Ｍ）になり、設定メニュー（ＴＯＰ階層）を表示する（図５（２）参照）。この状態でサブ電子ダイアル１１９を操作して、設定メニューの項目の中から“ＬＶ中のＡＦ方式設定”を選択する。そして、ＳＥＴ釦１１６を押下すると、ＬＶ中のＡＦ方式を設定する画面（図５（３）参照）になる。ＬＶ中のＡＦ方式は、少なくとも上述した位相差方式とコントラスト方式の２種類があり、サブ電子ダイアル１１９で選択することが出来る。位相差方式は撮像レンズからの光束のすくなくとも一部を光路分割して焦点検出部に導き、撮影レンズの焦点調節を行う。このため、ＡＦ動作を行っている最中は撮像素子４１８に光が導かれず、ライブビュー画像の表示を続行しない。
【００５４】
コントラスト方式のＡＦはライブビュー画像の画像信号から画像処理部４２５で画像のコントラストを検出し、撮影レンズの焦点調節を行う。このためライブビュー表示を続ける。
【００５５】
両ＡＦ方式は、構成上同時に動作させることが出来ないため、あらかじめＭＥＮＵでどちらかを選択しておく。
【００５６】
設定したいＬＶ中のＡＦ方式を選択した状態（例えば位相差方式）でＳＥＴ釦１１６を押すと、設定したいＬＶ中のＡＦ方式が設定される（位相差方式になる）。設定が終了すると共に画面は設定メニュー（図５（４）参照）に戻る。さらにメニュー釦１２４を押下すると、カメラ状態（図５（５）参照）に戻る。
【００５７】
最初の状態がライブビュー状態（Ｌ）でも、同様にＬＶ中のＡＦ方式を設定できる。
【００５８】
次に、図６（図６．１、図６．２）のフローチャートを用いて、デジタルカメラの全体シーケンスの中で、ライブビューに関する動作について説明する。なお、このフローチャートでは、ライブビュー状態通常シーケンス中でのＡＦに付随する動作について説明しており、特殊な動作や、不慮の事故に対するトラブル処理については記述していない。
【００５９】
このフローチャートは、図４のカメラ状態（Ｃ）からライブビュー表示を開始する部分より始まる。
【００６０】
マイクロコンピュータ４０２は、ステップＳ１００１より動作を開始する。そして、まずステップＳ１０１２にて、ＳＥＴ釦１１６がＯＦＦからＯＮ（押下）になるのを待つ。ＳＥＴ釦１１６がＯＦＦからＯＮになったことを判定するとステップＳ１０１４へ進み、メカ制御部４１５を制御し、メインミラー２０、サブミラー２４をアップ位置（図２の２０ｕ，２４ｕの位置）に駆動する。さらに、シャッター先幕２１０を走行させ、シャッター開放状態にする。
【００６１】
次のステップＳ１０１６では、マイクロコンピュータ４０２は、撮像素子４１８に撮影光束が導かれた状態で、連続的に撮像を行い、モニター部４１７にライブビュー画像を表示する。ライブビュー中の蓄積時間の制御やフレームレート、読み出し時のゲイン制御などの詳しい説明は省略する。
【００６２】
次のステップＳ１０１８では、マイクロコンピュータ４０２は、ライブビュー状態にＡＦ釦１１３がＯＮされたか否かを判定する。ＡＦ釦１１３がＯＮされていればステップＳ１０１９（図６．２  １）へ進み、後述のようにＬＶ中のＡＦ動作を開始する。ＯＮされていなければ、ＡＦ動作を飛ばしてステップＳ１１００に進む。
【００６３】
ＡＦ釦１１３がＯＮされてステップＳ１０１９へ進むと、まずＬＶ中のＡＦ方式の判定をおこなう。
【００６４】
ここで予め設定されているＡＦ方式が位相差方式かコントラスト方式かにより分岐する。ＡＦ方式が位相差方式ならステップＳ１０２０へ進む。（ＡＦ釦１１３がＯＮされる前に、ＬＶ中のＡＦ方式は図４メニュー状態（Ｍ）および図５で説明した方法により決定されている。）
ステップＳ１０２０へ進むと、まずレリーズ禁止を行う。つまり、レリーズ釦１１４の全押しによってＯＮするスイッチＳＷ２の割り込みを禁止することにより、画像の撮影動作（レリーズ動作）を禁止する。なお、スイッチＳＷ２はマイクロコンピュータ４０２に接続されており、カメラの起動終了後にスイッチＳＷ２の割り込みが許可される。そして、割り込みが許可された状態でスイッチＳＷ２がＯＮすると、図７にて後述する“レリーズ”サブルーチンが実行され、画像の撮影動作が行われる。
【００６５】
次のステップＳ１０３０では、これから行う位相差方式のＡＦ動作中は撮像素子４１８に光が導かれないため、マイクロコンピュータ４０２は、ライブビュー表示を中止する。そして、焦点検出を行うに際してメインミラー２０およびサブミラー２４をダウンさせる。本実施例では、メインミラー２０に連動してサブミラー２４が焦点検出可能な位置に移動する構成であるが、サブミラー単体で焦点検出可能な位置に移動できる構成としても良い。また、メインミラー２０で焦点検出部４１３に光束を導く構成にし、サブミラー２４を用いない構成にしても良い。いずれにせよ、焦点検出を行うためには撮像素子４１８へ導かれる光束の一部または全部が遮られる構成とする。次に、シャッターも閉じる。
【００６６】
次のステップＳ１０５０では、マイクロコンピュータ４０２は、焦点検出部４１３により位相差方式のＡＦにより被写体のデフォーカス量を検出する。そして、検出したデフォーカス量から所定の演算によりレンズ駆動量を算出し、レンズ制御部４０７に出力する。これにより、レンズ制御部４０７が算出されたレンズ駆動量分だけ撮像光学系１９を駆動制御する。つまり、このステップにて、位相差方式のＡＦ動作を行う。
【００６７】
次のステップＳ１０６０では、ＡＦ釦１１３がＯＦＦされたか判定し、ＯＦＦでなければ再びステップ１０５０へ戻り、位相差方式のＡＦ動作を行う。つまり、ＡＦ釦１１３がＯＮされている間、デフォーカス検出→レンズ駆動量算出→レンズ駆動の動作を繰り返す、ＡＦ動作を実行する。
【００６８】
その後、ＡＦ釦１１３がＯＦＦされたらステップＳ１０６０からステップＳ１０７０へ進む。そして、ここではメインミラー２０、サブミラー２４をアップ位置（図２の位置２０ｕ，２４ｕ）に駆動し、さらに、シャッター先幕２１０を走行させてシャッター開放状態にする。
【００６９】
次のステップＳ１０８０では、撮像素子４１８の撮影動作とモニター部４１７への表示を連続的に行い、ライブビュー表示を再開する。ここで、ライブビュー表示を見ることで、被写体の状態（フレーミング）や焦点状態の確認を行うことが出来る。
【００７０】
次のステップＳ１０９０では、上記ステップＳ１０２０で禁止したレリーズ割り込みの禁止を解除して、スイッチＳＷ２の割り込みを許可し、画像の記録動作（レリーズ動作）を許可する。したがって、これ以降、レリーズ釦１１４を全押しすると、“レリーズ”サブルーチンが割り込み処理され、画像の記録動作を行うことが可能となる。
【００７１】
上記のようにＬＶ中のＡＦ方式が位相差方式の場合、ライブビュー状態にＡＦ釦１１３の操作が行われたら（ＯＮされたら）、レリーズを禁止しライブビュー表示を中止して、ＡＦ動作を行う（Ｓ１０２０→１０３０→１０４０→１０５０）。その後、ＡＦ釦１１３の操作が停止されたら（ＯＦＦされたら）ライブビュー表示を再開すると共に、レリーズ割り込みを許可する（Ｓ１０６０→Ｓ１０７０→Ｓ１０８０→Ｓ１０９０）構成にしている。このことにより、ライブビュー画像が見えない状態でのＡＦ動作中に不用意に撮影が行われてしまうことがない。
【００７２】
ステップＳ１０１９でＡＦ方式がコントラスト方式ならＳ１０２５へ進む。ステップＳ１０２５へ進むと、まずレリーズ禁止を行う。（動作はステップＳ１０２０と同様である）割り込みが禁止された状態では、スイッチＳＷ２がＯＮしてもレリーズサブルーチン（図７）は実行されず撮影動作は行われない。次のステップＳ１０５５では、マイクロコンピュータ４０２は、画像処理部４２５から出力されたコントラスト値をつかって焦点検出する。コントラストが検出されると所定のレンズ駆動量をレンズ制御部４０７に出力する。レンズ駆動が終了したら画像処理部４２５からコントラスト値を得る。レンズ駆動前後のコントラスト値を比較してコントラスト値が大きくなるよう次のレンズ駆動量を算出する。レンズ制御部４０７が算出されたレンズ駆動量分だけ撮像光学系１９を駆動制御する。
【００７３】
次のステップＳ１０６５では、ＡＦ釦１１３がＯＦＦされたか判定し、ＯＦＦならば、ステップＳ１０９５へ分岐する。ＯＦＦでなければ次のステップＳ１０７５で合焦の判定を行う。
【００７４】
ステップＳ１０７５では、焦点検出結果が合焦であるかを判定し、合焦でなければ再びステップ１０５５へ戻り、コントラスト方式のＡＦ動作を行う。つまり、ステップＳ１０５５、ステップＳ１０６５、ステップＳ１０７５を繰り返すことによりにて、コントラスト方式のＡＦ動作（焦点調節）を行う。
【００７５】
ステップＳ１０７５で合焦判定の結果、合焦と判断されたらＳ１０９５へ分岐し、コントラスト方式ＡＦの繰り返しからぬける。
【００７６】
次のステップＳ１０９５では、上記ステップＳ１０２５で禁止したレリーズ割り込みの禁止を解除して、スイッチＳＷ２の割り込みを許可し、画像の記録動作（レリーズ動作）を許可する。ステップＳ１０７５で合焦判定してステップＳ１０９５に進んだ場合、ＡＦ釦１１３がＯＮされたままでもレリーズは許可される。したがって、これ以降、レリーズ釦１１４を全押しすると、“レリーズ”サブルーチンが割り込み処理され、画像の記録動作を行うことが可能となる。
【００７７】
ステップＳ１０６５でＡＦ釦１１３がＯＦＦされた場合も、ステップＳ１０９５でレリーズ許可がされ、画像の記録動作を行うことが可能になる。
【００７８】
上記のようにＬＶ中のＡＦ方式がコントラスト方式の場合、ライブビュー状態にＡＦ釦１１３の操作が行われたら（ＯＮされたら）、ライブビュー表示を続けた状態でＡＦ動作を行う（Ｓ１０２５→Ｓ１０５５）。その後、合焦になるまでＡＦ動作を繰かえす。途中ＡＦ釦１１３の操作が停止されたら（ＯＦＦされたら）ＡＦ動作を止める（Ｓ１０５５→Ｓ１０６５→Ｓ１０７５）合焦するまでは、レリーズを禁止するが、合焦後、レリーズ割り込みを許可する（Ｓ１０７５→Ｓ１０９５）構成にしている。このことにより、合焦したらすぐに撮影することが出来る。
【００７９】
コントラスト方式のＡＦの場合、ＡＦ中もライブビュー表示での被写体確認が可能なため合焦までのレリーズ禁止は必ずしも必要ではない。
【００８０】
本実施例では、ＬＶ中のＡＦ方式を位相差方式とコントラスト方式としたが、この方式に限定される必要はない。ライブビュー表示を中止して行うＡＦ方式とライブビュー表示を継続して行うことが出来るＡＦ方式であれば本発明を適用することが出来る。
【００８１】
具体的には、ライブビュー表示を中止して行うＡＦ方式の場合ＡＦ釦が操作されている間レリーズを禁止し、ライブビュー表示を続けながら行うＡＦ方式の場合、ＡＦ釦が操作された状態でもレリーズを許可する。
【００８２】
上記一連のＡＦ動作が終了した後（図６．２  ２）、または、ステップＳ１０１８（図６．１）でＡＦ釦１１３の操作が行われなかった場合はステップＳ１１００へ進み、マイクロコンピュータ４０２は、その他のスイッチの操作に対する対応を行う。例えば、電子ダイアル１１５による設定値変更や、ライブビューの表示形式の切り換え（スイッチは不図示）などを行う。また、スイッチの種類によっては、ライブビュー状態を終了して対応する動作を行う（メニュー釦１２４、モニター釦１２１など）。
【００８３】
その後はステップＳ１１０５へ進み、マイクロコンピュータ４０２は、ＳＥＴ釦１１６がＯＮされたか否かを判定する。ここで、ＳＥＴ釦１１６がＯＮされていなければ引き続きライブビュー状態を続けると共にステップＳ１０１８へ戻り、ＡＦ釦１１３およびその他のスイッチに対する対応を繰り返す。
【００８４】
上記ステップＳ１１０５にてＳＥＴ釦１１６がＯＮされたことを判定すると、マイクロコンピュータ４０２は、ステップＳ１１１０へ処理を進める。そして、ここでは撮像素子４１８の動作およびモニター部４１７の表示を中止し、ライブビュー状態を終了する。続くステップＳ１１２０では、メカ制御部４１５を制御し、メインミラー２０、サブミラー２４をダウン位置に駆動する。さらに、シャッターをチャージし、撮像素子４１８を遮光状態にする。最後に、ステップ１１２にて、図４のカメラ状態（Ｃ）に戻る。
【００８５】
次に、図７のフローチャートを用いて、ライブビュー状態からの“レリーズ”サブルーチンの動作について説明する。この動作は割り込みルーチンで実行される。
【００８６】
まず、レリーズ割り込みが許可されている時にレリーズ釦１１４の全押しによりスイッチＳＷ２がＯＮすると、割り込み処理により“レリーズ”サブルーチンがコールされ、ステップＳ５１０を介してステップＳ５２０より動作を開始する。ステップＳ５２０では、レリーズ割り込みを禁止する。そして、次のステップＳ５２５にて、静止画撮影を行うため、ライブビュー動作を終了させる。シャッターチャージを行い、シャッター先幕２１０を走行前の位置に駆動する。
【００８７】
次のステップＳ５３０では、絞りの制御値とシャッター速度の計算を行う。絞りとシャッター速度は、カメラの撮影モードや測光値あるいは設定値により所定のアルゴリズムにより計算される。絞り値とシャッタースピードが予め設定されている場合は、ここで改めて計算する必要は無い。続くステップＳ５４０では、撮像レンズ１８内に設けた絞りを上記ステップＳ５３０で計算した値にレンズ制御部４０７により制御する。ライブビュー撮影の場合、既にメインミラー２０及びサブミラー２４はアップ位置にあるため、ここでミラー駆動の必要は無い。
【００８８】
次のステップＳ５４５では、撮像素子４１８の電荷蓄積（ＣＣＤ蓄積）を開始する。そして、次のステップＳ５５０にて、シャッター制御部４１５によりシャッター先幕２１０を走行させて露光を開始する。その後、上記ステップＳ５３０にて計算した所定時間経過後にシャッター後幕２０９を走行させて露光を終了させる。続くステップＳ５５５では、シャッター後幕２０９の走行が完了したら、撮像素子４１８の電荷蓄積（ＣＣＤ蓄積）を終了させる。
【００８９】
次のステップＳ５６０では、撮像レンズ１８内に設けた絞りをレンズ制御部４１５により開放に制御する。そして、次のステップＳ５６５にて、撮像素子４１８から画像信号を読み出し、Ａ／Ｄコンバータ４２３及び画像処理部４２５で処理した画像データを、バッファメモリ４２４に一時的に記憶する。続くステップＳ５６７では、バッファメモリ４２４から読み出された画素信号に対して画像処理部４２５でカラー画像信号に変換し、記録再生処理部４０３によって記録媒体４０４に記録する。
【００９０】
次のステップＳ５７０では、シャッターチャージを行い、シャッター先幕２１０及びシャッター後幕２０９を走行前の位置に駆動する。そして、次のステップＳ５７５にて、撮像素子４１８のライブビュー動作を再開する。最後にステップＳ５８０にて、レリーズ割り込み許可する。
【００９１】
以上により、一連のレリーズ動作を終了する。
【００９２】
図７のフローチャートでは、ライブビュー状態（Ｌ）からレリーズを行う場合を説明しているが、カメラ状態（Ｃ）からレリーズする場合もほぼ同様である。具体的には、ステップＳ５２５，Ｓ５７５でのライブビュー動作の中止／開始処理は不要になり、ステップＳ５４０，ステップＳ５７０において、ミラー駆動（アップ／ダウン）動作が必要になる。
【００９３】
以上説明したように本実施例によれば、ライブビュー状態から位相差方式のＡＦを行う場合にＡＦ釦１１３がＯＮされたら、ライブビュー表示の中止及びレリーズを禁止して位相差方式のＡＦ動作を行う。ＡＦ釦１１３がＯＦＦされたら、ライブビュー表示を再開すると共に、レリーズ割り込みを許可する構成にしている。よって、ＡＦ動作中に不用意に撮影が行われてしまうことを防いでいる。
【００９４】
ライブビュー状態からコントラスト方式のＡＦを行う場合ＡＦ釦１１３がＯＮされたら、ライブビュー表示を継続しつつコントラスト方式のＡＦ動作を行う。ＡＦ釦１１３がＯＮの間でもレリーズが可能な構成にしている。このため、ライブビュー画像の表示を確認しつつ撮影を行うことが出来る。
【００９５】
なお、上記実施例においては、操作性を犠牲にすれば、ライブビュー状態からオートフォーカス動作を開始させるためのスイッチとしてＡＦ釦１１３でなく、例えば、レリーズ釦１１４のスイッチＳＷ１であってもよい。このとき、記録媒体４０４に画像を記録しようとする場合、一旦、位相差ＡＦの場合レリーズ釦１１４のスイッチＳＷ１をオフする。それから、改めて一気にレリーズ釦１１４のスイッチＳＷ２をオンする。一方、コントラスト方式の場合には、上記一旦離す動作が不要となり、レリーズ釦１１４のスイッチＳＷ１のオンからそのままレリーズ釦１１４のスイッチＳＷ２のオンに移行することができる。
【００９６】
（本発明と実施例の対応）
撮像素子４１８が、本発明の、物体像を光電変換する撮像手段に、モニター部４１７が、本発明の、撮像手段からの信号に基づいて生成された画像を表示する表示手段に、それぞれ相当する。また、焦点検出部４１３、マイクロコンピュータ４０２およびレンズ制御部４０７が、本発明の、第１のオートフォーカス動作を行う第１のオートフォーカス手段に相当する。
【００９７】
撮像素子４１８、Ａ／Ｄコンバーター４２３、バッファメモリ４２４、画像処理部４２５、マイクロコンピュータ４０２が、本発明のライブビュー表示中に動作可能な第２のオートフォーカス手段に相当する。
【００９８】
また、メインミラー２０およびサブミラー２４が、本発明の、撮像光学系を通った光をオートフォーカス手段に導く光路分割手段に相当する。
【００９９】
また、マイクロコンピュータ４０２が、本発明の、光路分割手段を撮像光学系から撮像手段への光路内から退避させ、撮像手段からの画像を表示手段に表示させるライブビュー制御手段に相当する。また、ＡＦ釦１３３が、本発明の、第１、第２のオートフォーカス動作を行わせる第１のスイッチに相当する。また、レリーズ釦１１４のスイッチＳＷ２が、本発明の、撮像手段からの画像を記録媒体４０４に記録させるための第２のスイッチに相当する。また、マイクロコンピュータ４０２の図６に示すステップＳ１０２０の部分が、本発明の、第１のスイッチの操作により第１のオートフォーカス動作が行われている間は、第２のスイッチの操作による記録媒体への画像記録を禁止する画像記録制御手段に相当する。また、マイクロコンピュータ４０２の図６に示すステップＳ１０９５の部分が、本発明の、第１のスイッチの操作により第２のオートフォーカス動作が行われている間は、第２のスイッチの操作による記録媒体への画像記録を許可する画像記録制御手段に相当する。
【０１００】
また、記録媒体４０４が本発明の記録媒体に相当する。
【０１０１】
本発明は、ライブビュー可能なデジタルカメラ、さらに詳しくは、撮影前に画像確認をするライブビュー機能を有し、ライブビュー動作中にフォーカス調整を行うのに適したデジタル一眼レフタイプの撮像装置に利用可能である。
【図面の簡単な説明】
【０１０２】
【図１】本発明の一実施例に係るデジタルカメラを示す斜視図である。
【図２】本発明の一実施例に係るデジタルカメラの光学配置図である。
【図３】本発明の一実施例に係るデジタルカメラの回路構成を示すブロック図である。
【図４】本発明の一実施例に係わるデジタルカメラの状態遷移図である。
【図５】本発明の一実施例に係わるデジタルカメラのＬＶ中のＡＦ方式設定を説明するための図である。
【図６】本発明の一実施例に係るデジタルカメラのライブビュー動作を示すフローチャートである。
【図７】本発明の一実施例に係るデジタルカメラのレリーズ動作を示すフローチャートである。
【符号の説明】
【０１０３】
１８  撮像レンズ
１９  撮像光学系
２０  メインミラー
２４  サブミラー
１００  カメラ本体
１１３  ＡＦ釦
１１４  レリーズ釦
１１５  電子ダイアル
１１６  ＳＥＴ釦
４０２  マイクロコンピュータ
４０７  レンズ制御部
４１３  焦点検出部
４１７  モニター部
４１８  撮像素子
４２５  画像処理部
【図１】
0005111125.tif 000002
【図２】
0005111125.tif 000003
【図３】
0005111125.tif 000004
【図４】
0005111125.tif 000005
【図５】
0005111125.tif 000006
【図６】
0005111125.tif 000007
【図７】
0005111125.tif 000008